(57)【要約】【課題】代替局に電界強度が大きい隣接局が存在する場合でも、ＰＩ取得率を向上させることができるＲＤＳ受信装置を提供すること。【解決手段】ＦＭ検波部１８０によりＦＭ検波された信号を復調して代替局のＰＩコードを取得するＲＤＳ復調部２００と、ＲＤＳ復調部２００が代替局のＰＩコードを取得するときにＡＧＣ部１６０が動作を開始するミキサ部１５０の出力レベルを規定する制御部２３０とを備えたＲＤＳ受信装置１００において、ミュート状態にて、代替局のＲＤＳデータを取得するとき、ＡＧＣ動作開始レベルを通常受信時の第１のＡＧＣ動作開始レベルＦＳ１よりも高い第２のＡＧＣ動作開始レベルＦＳ２へ変化させるので、隣接妨害波の電界強度が大きい場合でも、ＰＩ取得率を向上させることができる。【選択図】図１
2011004108.tif 000002
【特許請求の範囲】
【請求項１】
ＡＦリストに記述された代替周波数の中から、信号の受信品質の良好な代替周波数をサーチし、サーチされた前記受信品質の良好な代替周波数に切り替える動作であるＡＦ動作を行うＲＤＳ受信装置であって、
受信した信号を減衰させる可変アテネータ部と、
前記可変アテネータ部が出力した信号のうちＦＭ帯域外の周波数の信号を減衰させるＲＦフィルタ部と、
前記ＲＦフィルタ部が出力した信号を増幅するＲＦアンプ部と、
前記ＲＦアンプ部より出力された信号を中間周波数信号に変換するミキサ部と、
所定のレベルであるＡＧＣ動作開始レベルを設定し前記ミキサ部の出力レベルを前記ＡＧＣ動作開始レベルに保つように前記可変アテネータ部及び前記ＲＦアンプ部のゲインを調整するＡＧＣ部と、
自装置の各部を制御する制御部とを備え、
前記制御部は、前記ＡＦ動作時の前記受信品質の良好な代替周波数に切り替えるときに、前記ＡＧＣ動作開始レベルを変更する制御を行うことを特徴とするＲＤＳ受信装置。
【請求項２】
前記ＡＧＣ部は、第１のＡＧＣ動作開始レベルと前記第１のＡＧＣ動作開始レベルよりも大きい第２のＡＧＣ動作開始レベルとを切替可能に設定し、
前記第１のＡＧＣ動作開始レベルは通常受信時に設定され、前記第２のＡＧＣ動作開始レベルは前記ＡＦ動作時の前記受信品質の良好な代替周波数に切り替えるときに設定されることを特徴とする請求項１記載のＲＤＳ受信装置。
【請求項３】
前記ミキサ部により出力された中間周波数信号を所定のフィルタ帯域幅で帯域制限してフィルタ出力信号を出力するフィルタ帯域幅が可変な可変ＩＦフィルタ部と、前記可変ＩＦフィルタ部により出力されたフィルタ出力信号をＦＭ検波するＦＭ検波部と、前記ＦＭ検波部によりＦＭ検波された信号を復調して代替局のＰＩコードを取得するＲＤＳ復調部と、前記ＦＭ検波部によりＦＭ検波された信号から代替局に隣接する局の信号を抽出し、その信号の隣接ノイズ値を検出する隣接ノイズ検出部と、前記ＦＭ検波部によりＦＭ検波された信号から受信局や代替局の電界強度を測定する電界強度測定部とを備えた請求項１または請求項２記載のＲＤＳ受信装置。
【請求項４】
前記ＦＭ検波部により出力された検波信号を復調して音声信号を出力するＭＰＸ復調部と、前記ＲＤＳ復調部が代替局のＰＩコードを取得するとき、前記ＭＰＸ復調部により出力された音声信号をミュートするミュート部と、前記音声信号を音声出力するスピーカ部とを更に備えることを特徴とする請求項３記載のＲＤＳ受信装置。
【請求項５】
前記制御部は、受信中の放送局の音声を出力している時には、前記第１のＡＧＣ動作開始レベルを前記ＡＧＣ部に設定し、代替局のＰＩコードを取得するために音声出力がミュート部にてミュートされている時には、前記第２のＡＧＣ動作開始レベルを設定することを特徴とする請求項４記載のＲＤＳ受信装置。
【請求項６】
前記第１のＡＧＣ動作開始レベルは、受信中の放送局の音声を出力している時には、出力音声に歪やノイズが表れないＡＧＣ動作開始レベルであることを特徴とする請求項２ないし請求項６のいずれか記載のＲＤＳ受信機。
【発明の詳細な説明】
【技術分野】
【０００１】
本発明は、ＲＤＳデータを受信するＲＤＳ受信装置に関する。
【背景技術】
【０００２】
ラジオデータシステム（ＲＤＳ：radio data system）は、ＦＭ放送において、放送局や放送内容に関する付加的な情報をＲＤＳデータとしてＦＭ放送信号に多重化し、ＦＭ放送の受信側に提供するサービスである。サービスの一例としては、選局中の放送局名をＦＭ放送受信装置（以下「ＲＤＳ受信装置」という）に表示することなどがある。近年、このＲＤＳデータを受信することが可能なＦＭ放送受信装置の普及がヨーロッパ、アメリカ等で進んでいる。
【０００３】
ＲＤＳでは、同じ放送内容が複数の周波数帯にて放送されている。例えば、車両に搭載されたＲＤＳ受信装置の受信状態が車両の移動によって悪化しても、ＲＤＳ受信装置は、受信中の周波数と異なる周波数で同一の放送内容が放送されている放送局（以下「代替局」という）から、受信品質の良好な代替放送局を探し出し、切り替えを行う。このとき、ＲＤＳ受信装置はＲＤＳデータに基づいて放送局の切り替えを行う。
【０００４】
ＲＤＳデータには、代替局が放送されている周波数（以下「代替周波数」という）と、その代替局のＰＩ（Program Identification）コードとを記述した、ＡＦ（Alternative Frequency）リストが含まれている。ＰＩコードは放送局を識別するコードであり、同一の放送内容を放送する放送局には同一のＰＩコードが割り当てられる。ＲＤＳ受信装置は、受信中のＦＭ放送から予めＡＦリストを取得し、信号の受信品質が悪化した場合、ＡＦリストに基づいて受信品質の良好な代替局に切り替えることができる。
【０００５】
ＲＤＳ受信装置は、代替局に切り替える際に、ＡＦ動作を行う。ＡＦ動作とは、ＡＦリストに記述された代替周波数の中から、信号の受信品質の良好な代替周波数をサーチして、サーチされた代替周波数に切り替える動作である。ＡＦ動作は、「ＡＦチェック」および「ＰＩチェック」の２つの処理で構成される。「ＡＦチェック」とは、代替周波数で送信されるＦＭ放送信号の電界強度の大きさを検出し、その大きさが閾値以上のとき、更に代替局からＲＳＤデータを取得可能であるか否かを確認する処理である。また、「ＰＩチェック」とは、現在受信中の放送局のＰＩコードと、ＡＦリストに記述された代替局のＰＩコードとが一致するか否かを確認する処理である。
【０００６】
「ＰＩチェック」の間は代替局を受信する必要があるため、受信中のＦＭ放送信号の受信が途切れる。この際、音声が途切れた状態となるため、聴感上、ユーザが気づかない程度のごく短時間でＰＩチェックを完了させる必要がある。従ってＰＩチェック時間を短時間で完了させるためにＰＩコード取得率を向上させることが望まれている。
【０００７】
従来のＲＤＳ受信装置は、可変ＩＦフィルタを制御しＩＦ段にて隣接妨害の影響を除去し、隣接妨害環境下におけるＰＩコード取得性能を向上させていた（例えば、未公開自社出願の特願２００８−０４１８８７号参照）。
【発明の概要】
【発明が解決しようとする課題】
【０００８】
しかしながら、特許文献１記載のＲＤＳ受信装置では、代替局に隣接している放送局の電界強度が大きい場合に、フロントエンド部に備えているＡＧＣ部が可変アテネータやＲＦアンプを制御しＲＦ信号を減衰させるため、代替局の信号もＲＦ段にて抑圧されてしまいＰＩコード取得率が下がるという問題がある。
【０００９】
本発明は、代替局に隣接した放送局の信号レベルが大きい場合にも、代替局の信号に対する抑圧を軽減し、ＰＩコード取得率を向上させることができるＲＤＳ受信装置を提供することを目的とする。
【課題を解決するための手段】
【００１０】
本発明のＲＤＳ受信装置は、ＡＦリストに記述された代替周波数の中から、信号の受信品質の良好な代替周波数をサーチし、サーチされた前記受信品質の良好な代替周波数に切り替える動作であるＡＦ動作を行うＲＤＳ受信装置であって、受信した信号を減衰させる可変アテネータ部と、前記可変アテネータ部が出力した信号のうちＦＭ帯域外の周波数の信号を減衰させるＲＦフィルタ部と、前記ＲＦフィルタ部が出力した信号を増幅するＲＦアンプ部と、前記ＲＦアンプ部より出力された信号を中間周波数信号に変換するミキサ部と、所定のレベルであるＡＧＣ動作開始レベルを設定し前記ミキサ部の出力レベルを前記ＡＧＣ動作開始レベルに保つように前記可変アテネータ部及び前記ＲＦアンプ部のゲインを調整するＡＧＣ部と、自装置の各部を制御する制御部とを備え、前記制御部は、前記ＡＦ動作時の前記受信品質の良好な代替周波数に切り替えるときに、前記ＡＧＣ動作開始レベルを変更する制御を行う構成を有している。
【００１１】
本構成により、前記ＲＤＳ復調部が代替局のＰＩコードを取得する時に、ＡＧＣ部を制御することにより前記可変アテネータや前記ＲＦアンプのゲインを調整してＡＧＣ動作開始レベルを変更するので、ＰＩコード取得率をよりいっそう向上させることができる。
【発明の効果】
【００１２】
本発明によれば、代替局のＰＩコード取得時にＡＧＣ部を制御し、可変アテネータとＲＦアンプのゲインを調整することにより、電界強度が大きい隣接局が存在する場合でもＰＩコード取得率を向上させることができる。
【図面の簡単な説明】
【００１３】
【図１】本発明の一実施の形態に係るＲＤＳ受信装置の構成を示すシステム構成図
【図２】本実施の形態におけるＡＧＣ部の動作内容の一例を示す図
【図３】本実施の形態におけるＡＧＣ部の動作内容の一例を示す図
【図４】本実施の形態におけるＡＧＣ部の動作内容の一例を示す図
【図５】本実施の形態におけるＡＧＣ部の動作開始レベルをシフトさせた場合の一例    を示す図
【図６】本実施の形態におけるＲＤＳ受信装置の動作の流れを示すフローチャート図
【図７】本実施の形態におけるＡＦ動作の流れを示すフローチャート図
【図８】本実施の形態におけるＡＧＣ動作開始レベルとＲＤＳデータのビットエラーレートの関係の一例を示す図
【発明を実施するための形態】
【００１４】
以下、本発明の一実施の形態について、図面を参照して詳細に説明する。
【００１５】
図１は、本発明の一実施の形態に係るＲＤＳ受信装置の構成を示すシステム構成図である。
【００１６】
図１において、ＲＤＳ受信装置１００は、アンテナ部１１０、可変アテネータ部１２０、ＲＦフィルタ部１３０、ＲＦアンプ部１４０、ミキサ部１５０、ＡＧＣ(Auto Gain Control)部１６０、可変ＩＦフィルタ部１７０、ＦＭ検波部１８０、隣接ノイズ検出部１９０、ＲＤＳ復調部２００、ＲＯＭ（Read Only Memory）２１０、ＲＡＭ（Random Access Memory）２２０、制御部２３０、ＭＰＸ（multiplex）復調部２４０、ミュート部２５０、スピーカ部２６０、表示装置２７０、および操作部２８０を有する。
【００１７】
アンテナ部１１０は、ＦＭ多重されたＦＭ放送信号を受信する。
【００１８】
可変アテネータ部１２０は、アンテナ部１１０で受信されたＦＭ放送信号を減衰させる。可変アテネータ部１２０における信号レベルの減衰量は可変であり、その減衰量はＡＧＣ部１６０により制御される。  
【００１９】
ＲＦフィルタ部１３０は、ＦＭ帯域外の周波数信号を減衰させ、ＦＭ帯域内の周波数信号のみを通過させるフィルタである。
ＲＦアンプ部１４０は、ＲＦフィルタ部１３０を通過したＦＭ帯域内の周波数信号が後段のミキサ部１５０でノイズに埋もれてしまわないように十分な電圧まで信号を増幅する。ミキサ部１５０は、ＲＦアンプ部１４０から出力された信号のうち、ユーザにより指定された放送局または予め定められた放送局のＦＭ放送信号を、中間周波数（ＩＦ：Intermediate Frequency）信号に変換する。
【００２０】
ＡＧＣ部１６０はミキサ部１５０の出力が所定のレベルを超えた場合に、可変アテネータ部１２０及びＲＦアンプ部１４０のゲインを制御してミキサ部１５０の出力レベルが所定のレベルを保つようにする。この所定のレベルをＡＧＣ動作開始レベルと呼び、ＡＧＣ動作開始レベルは制御部２３０により制御される。
可変ＩＦフィルタ部１７０は、ミキサ部１５０により変換された中間周波数信号を、所定のフィルタ帯域幅で帯域制限し、フィルタ出力信号を出力する。可変ＩＦフィルタ部１７０のフィルタ帯域幅は可変であり、制御部２３０により制御される。
【００２１】
ＦＭ検波部１８０は、可変ＩＦフィルタ部１７０により出力されたフィルタ出力信号をＦＭ検波し、検波信号を出力する。また、ＦＭ検波部１８０は、ＲＤＳ受信装置１００のＡＦ動作時に、所定の放送局の放送されている周波数帯域にある検波信号（以下「希望波」）の電界強度を検出する。
【００２２】
隣接ノイズ検出部１９０は、ＦＭ検波部１８０により出力された検波信号から、隣接ノイズの電界強度（以下適宜「隣接ノイズ値」という）の検出を行う。以下、隣接ノイズとは、隣接する他の放送局のＦＭ放送信号によるノイズに限らず、希望波近傍に存在するノイズをいうものとする。
【００２３】
隣接ノイズ検出部１９０は、バンドパスフィルタ（ＢＰＦ：Band Pass Filter）部１９１および電界強度測定部１９２を有する。バンドパスフィルタ部１９１は、ＦＭ検波部１８０により出力された検波信号から、隣接ノイズの検出の対象となる周波数帯域（以下「ノイズ検出帯域」という）にある検波信号を取り出す。
【００２４】
電界強度測定部１９２は、ノイズ検出帯域にある検波信号の電界強度を測定し、測定結果を、隣接ノイズ値として出力する。
【００２５】
ＲＤＳ復調部２００は、ＦＭ検波部１８０から出力された検波信号から、ＲＤＳデータを抽出するための復調およびデコードの処理を行う。ＲＤＳデータには、代替周波数をリスト化したＡＦリストと、ＰＩコードとが含まれる。
【００２６】
ＲＯＭ２１０は、制御部２３０が実行する各種制御プログラムが予め格納されている。制御部２３０は、ＲＯＭ２１０に記憶された制御プログラムをＲＡＭ２２０に読み込み、実行することによってＲＤＳ受信装置１００の各部を制御する。また、ＲＯＭ２１０には、ＡＦ動作を開始するか否かを選択するための判定基準値、ＰＩチェックを実行するか否かを選択するための判定基準値、通常受信時のＡＧＣ動作開始レベルおよびＰＩチェック時のＡＧＣ動作開始レベルが記憶されている。
【００２７】
図２から図５はＡＧＣ部１６０の動作内容の一例を示している。図２に示すように希望波３１１の中心周波数が代替周波数ｆ１であり、代替周波数ｆ１のプラスマイナス５７ｋＨｚの２つの周波数（ｆ１＋５７ｋＨｚ、ｆ１−５７ｋＨｚ）のそれぞれを中心する帯域に、ＲＤＳデータを放送する放送波であるＲＤＳサブキャリア３１２が位置する。ＦＳ１は通常受信時のＡＧＣ動作開始レベルであり第１のＡＧＣ動作開始レベルである。このＡＧＣ動作開始レベルは制御部２３０によって規定される。図２では希望波３１１の電界強度がＡＧＣ動作開始レベルＦＳ１を下回っているため、ＡＧＣ部１６０は動作しないため、可変アテネータ部１２０とＲＦアンプ部１４０での信号の減衰はない。
【００２８】
図３は希望波３１１の電界強度がＡＧＣ動作開始レベルＦＳ１を上回っていた時の動作を示している。希望波３１１の電界強度がＡＧＣ動作開始レベルＦＳ１を上回っているために、ＡＧＣ部１６０は電界強度がＦＳ１を上回らないように可変アテネータ部１２０とＲＦアンプ部１４０のゲインを調整し、信号を減衰させる。部分３１３はこのＡＧＣ部１６０の動作による信号の減衰量を示している。サブキャリア３１２の信号レベルも希望波３１１と同様に減衰することになる。
【００２９】
図４は希望波３１１に隣接する妨害波３１４が存在する場合を示している。図４では希望波３１１の電界強度はＡＧＣ動作開始レベルＦＳ１を下回っているが、妨害波３１４の電界強度はＡＧＣ動作開始レベルＦＳ１を上回っている。この場合妨害波３１４の電界強度がＡＧＣ動作開始レベルＦＳ１を上回っている量（部分３１５）だけ信号を減衰させるようにＡＧＣ部１６０は動作する。この際、全周波数帯域に対して可変アテネータ部１２０とＲＦアンプ部１４０はゲイン調整を行うことになるため、希望波３１１の信号レベルも妨害波と同量（部分３１６）だけ減衰されることとなる。従って妨害波３１４の電界強度が大きい場合には希望波の信号レベルは大きく抑圧されることとなり、希望波３１１のＲＤＳサブキャリア３１２の信号レベルが小さくなってしまうことでＰＩコード取得率が悪化してしまう。
【００３０】
図５はＡＧＣ動作開始レベルＦＳ１をより高いレベルであり第２のＡＧＣ動作開始レベルであるＦＳ２にシフトした場合を示す。ＡＧＣ動作開始レベルをＦＳ２に上げることにより、妨害波の電界強度ではＡＧＣ部１６０が動作しないため可変アテネータ部１２０とＲＦアンプ部１４０における信号の減衰はなくなる。そのため、ＡＧＣ動作開始レベルがＦＳ１の時に抑圧されていた希望波の信号の減衰がなくなることになり、希望波のＰＩコード取得率の悪化はなくなる。
【００３１】
次に、本発明の実施の形態におけるＲＤＳ受信装置１００の動作について説明する。
【００３２】
図６は、ＲＤＳ受信装置１００の動作の流れを示すフローチャートである。
【００３３】
まず、ステップＳ１１００において、制御部２３０は、ＲＤＳ受信装置の電源投入または操作部２８０のユーザ操作などによってＦＭ放送の視聴開始が指示されたか否かを判断する。このときＦＭ放送の視聴開始が指示されたと判断された場合（Ｓ１１００：ＹＥＳ）、制御部２３０は処理をステップＳ１２００へ進める。なお、制御部２３０は、初期状
態として、ＲＤＳ受信装置１００から外部へ出力される音声信号の信号レベルをゼロとするようにミュート部２５０を制御する。
【００３４】
そして、ステップＳ１２００で、制御部２３０は、最後に受信したＦＭ放送信号の周波数がＲＯＭ２１０に記憶されているので、これを読み出し、読み出した周波数を、自局希望波ｆ０とする。
【００３５】
そして、ステップＳ１３００において、制御部２３０は自装置の選局動作を開始させて、自局希望波ｆ０にチューニングする。
【００３６】
そして、ステップＳ１４００にて、制御部２３０がＦＭ検波部１８０に、自局希望波ｆ０の希望波の電界強度を測定させて、隣接ノイズ検出部１９０にて自局希望波ｆ０の隣接ノイズの電界強度を測定する。また、このとき制御部２３０が自局希望波ｆ０の隣接ノイズの電界強度の測定結果をＲＡＭ２２０に記憶する。
【００３７】
そして制御部２３０はステップＳ１５００にて、ステップＳ１４００において測定され自局希望波ｆ０の電界強度および自局希望波ｆ０の隣接ノイズの電界強度に基づいて、ＡＦ動作を実行するか否かを判断する。
ステップＳ１５００における判断の結果、ＡＦ動作が実行される場合（Ｓ１５００：ＹＥＳ）、制御部２３０が処理をステップＳ１６００に進める。また、ステップＳ１５００における判断の結果、ＡＦ動作が実行されない場合（Ｓ１５００：ＮＯ）、制御部２３０は処理をステップＳ１７００に進める。
【００３８】
制御部２３０は、ステップＳ１６００で、ＡＦ動作を実行する。ＡＦ動作の詳細については後述する。
【００３９】
ステップＳ１７００において、制御部２３０がＲＤＳ受信装置１００の電源停止または操作部２８０のユーザ操作などによってＦＭ放送の視聴終了が指示されたか否かを判断する。このとき、ＦＭ放送の視聴終了が指示されていないと判断された場合（Ｓ１７００：ＮＯ）、制御部２０３は処理をステップＳ１８００に進める。
【００４０】
ステップＳ１８００にて、制御部２３０が操作部２８０のユーザ操作などによって視聴する放送局の変更が指示されたか否かを判断する。この判断の結果、放送局の変更が指示されていない場合（Ｓ１８００：ＮＯ）、処理をステップ１４００に戻す。また、放送局の変更が指示された場合（Ｓ１８００：ＹＥＳ）、処理をステップＳ１９００に進める。これにより、電界強度の測定と、必要に応じたＡＦ動作とが繰り返される。
【００４１】
ステップＳ１８００にて放送局の変更が指示されて、処理がステップＳ１９００に進むと、制御部２３０は、変更先として指示された放送局の周波数を新たな自局希望波ｆ０に設定した後、処理をステップＳ１３００に戻す。これにより、代替局の放送の視聴が開始される。
【００４２】
一方、ステップＳ１７００において、ＦＭ放送の視聴終了を指示された場合（Ｓ１７００：ＹＥＳ）、制御部２３０は、処理をステップＳ２０００に進める。
【００４３】
処理がステップＳ２０００に進むと、制御部２３０が最後に受信したＦＭ放送信号の周波数をＲＯＭ２１０に記憶させて、一連の処理を終了する。
【００４４】
次に図７を用いてＡＦ動作の詳細を説明する。図７は、ＡＦ動作の流れを示すフローチャートであり、図６のステップＳ１６００における処理に対応するものである。
【００４５】
まず、ステップ１６０１にて、制御部２３０がミュート部２５０の動作を制御して音声信号の信号レベルをユーザが聴覚で認識できないレベルまで減少させ、出力音声をミュートする。
【００４６】
そして制御部２０３は、ステップＳ１６０２にて自局のＡＦリストの取得を試み、取得したＡＦリストに代替周波数が記述されているか否かを判断する。
このとき自局のＡＦリストを取得することができ、かつ取得することができたＡＦリストに代替周波数が記述されている場合には（Ｓ１６０２：ＹＥＳ）、制御部２３０は、処理をステップＳ１６０３に進める。なお、ＡＦリストの取得は、例えば、該当するＡＦリストがＲＯＭ２１０に格納されている場合にはＲＯＭ２１０読み出し、該当するＡＦリストがＲＯＭ２１０に格納されていない場合には、ＲＤＳ復調部２００でＲＤＳデータから抽出して行うようにすればよい。制御部２３０は、ＲＤＳデータからＡＦリストを取得するごとに、その取得したＡＦリストをＲＯＭ２１０に格納することが望ましい。
【００４７】
ステップＳ１６０３に処理が進むと、制御部２３０はＡＦリストの代替周波数の何番目を処理対象としているかを示す変数Ｌの初期値に、値「０」を設定する。
【００４８】
さらに処理が進み、ステップＳ１６０４にて制御部２３０はＡＦリストのＬ番目の代替周波数を、処理対象となっている代替周波数ｆ１とする。
【００４９】
その後、ステップＳ１６０５で、制御部２３０は、後処理のステップS１６０７にて行う代替周波数の隣接ノイズ値を検出できる帯域幅に、可変ＩＦフィルタ部１７０のフィルタ帯域幅を設定する。
【００５０】
ステップＳ１６０５における処理の後、ステップＳ１６０６にて、制御部２３０は代替周波数ｆ１にチューニングする制御を行う。
【００５１】
そして、ステップＳ１６０７において、制御部２３０は代替周波数ｆ１の希望波の電界強度を測定し、隣接ノイズ検出部１９０を用いて代替周波数ｆ１の隣接ノイズの電界強度を測定させ、その後制御部２３０が測定結果をＲＡＭ２２０に記憶させる。
【００５２】
ステップＳ１６０８において、制御部２３０は代替周波数ｆ１の代替局に切り替えるか否かの判断であるＡＦチェックを行う。具体的には、制御部２３０がステップＳ１６０７で測定した代替周波数ｆ１の電界強度および代替周波数ｆ１の隣接ノイズの電界強度に基づいて、ＰＩチェックを行うか否かを判断する。
制御部２３０が、ＰＩチェックを行わないと判断した場合、つまり代替周波数ｆ１の受信に切り替えないと判断した場合（Ｓ１６０８：ＮＯ）、処理をステップＳ１６０９に進める。
【００５３】
ステップＳ１６０９に進むと、制御部２３０は、変数ＬがＡＦリストに記述された代替周波数の個数Ｎを超えたか否か、つまり未処理の代替周波数が存在するか否かを判断する。
このとき変数Ｌが個数Ｎをまだ超えていない場合は（Ｓ１６０９：ＮＯ）、制御部２３０は、処理をステップＳ１６１０に進める。
【００５４】
すると、ステップＳ１６１０にて、制御部２３０は変数Ｌを値１だけ増加させた後、処理をステップＳ１６０４に戻す。これにより、切り替え先が決定していないものの切り替え先の候補が残っている間は、ＡＦリストに記述された代替周波数に対して順にＡＦチェックが行われる。
【００５５】
一方、ＰＩチェックを行うと判断された場合、つまり代替周波数ｆ１の受信に切り替えると判断された場合（Ｓ１６０８：ＹＥＳ）、制御部２３０は処理をステップＳ１６１１へ進める。
【００５６】
ステップＳ１６１１において、制御部２３０はＡＧＣ部１６０に対して制御を行い、図６で示したようにＡＧＣ動作開始レベルをＦＳ１からＦＳ２へシフトする。すなわち、制御部２３０は、ミュート状態にあり音声出力されていない状態にある「ＰＩチェック中」は、隣接妨害波の電界レベルが大きいときでもＰＩコード取得率の劣化を抑えられるように、ＡＧＣ動作開始レベルをＦＳ２に設定する。
通常、アンテナ部１１０にて受信された信号レベルが大きすぎる場合は、ＲＦアンプ部１４０やミキサ部１５０で歪が発生してしまう。そのため、聴感上、ユーザにノイズがきこえてしまわないように、可変アテネータ部１２０やＲＦアンプ部１４０のゲインを調整して信号を減衰させている。本実施の形態においては、通常受信時はＡＧＣ動作開始レベルが、聴感上のノイズが発生しないＦＳ１に設定されているが、ＰＩチェック中はミュート状態にあり聴感上に聞こえるノイズは考慮する必要がないため、ＡＧＣ動作開始レベルをＰＩコード取得率の劣化を抑えられる程度にレベルが高いＦＳ２に設定する。
【００５７】
ステップＳ１６１２に移行すると、制御部２３０は、可変ＩＦフィルタ部１７０の制御を行う。すなわち、制御部２３０はステップＳ１６０７にて測定した隣接ノイズ値に応じて、可変ＩＦフィルタ部１７０のフィルタ帯域幅を、隣接ノイズによる代替周波数ｆ１の受信品質の劣化を抑えられる最適な帯域幅に設定する。
【００５８】
そして、制御部２３０は、ステップＳ１６１３にて代替周波数ｆ１のＦＭ放送信号からＰＩコードを取得した後、取得したＰＩコードが、ＡＦリストに記述された自局希望波のＰＩコードと一致するか否かの判断であるＰＩチェックを行う。
ＰＩコードを取得することができないか、取得することができてもその取得したＰＩコードとＡＦリストのＰＩコードとが一致しない場合（Ｓ１６１３：ＮＯ）、制御部２３０は、処理をステップＳ１６０９に進める。これにより、他の切り替え先候補への処理に移行することができる。
一方、ＰＩコードを取得することができ、かつその取得したＰＩコードとＡＦリストのＰＩコードとが一致する場合（Ｓ１６１３：ＹＥＳ）、制御部２３０は、処理をステップＳ１６１４に進める。
【００５９】
ステップＳ１６１４においては、制御部２３０は通常音声出力時に設定しているＡＧＣ動作開始レベルＦＳ１をＡＧＣ部１６０に対して設定する。
そして、ステップＳ１６１５にて、制御部２３０が通常音声出力時用に再度、可変ＩＦフィルタ部１７０の制御を行う。
【００６０】
そして、ステップＳ１６１６で、制御部２３０は、ミュート部２５０に対し、音声信号の信号レベルをユーザが聴覚で認識できるレベルまで増大させるように制御する。
【００６１】
一方、変数ＬがＡＦリストに記述された代替周波数の個数Ｎを超えた場合、つまり切り替え先が最終的に決定されなかった場合（Ｓ１６０９：ＹＥＳ）、制御部２３０は、処理をステップＳ１６１７に進める。
【００６２】
ステップＳ１６１７においては、制御部２３０は自局希望波について、ステップ１６１４と同様にＡＧＣ部１６０の動作開始レベルを通常受信時用のＦＳ１に設定する。
さらに、ステップＳ１６１８にて制御部２３０が通常音声出力時用に再度、可変ＩＦフィルタ部１７０の制御を行う。
【００６３】
そして、ステップＳ１６１９にて制御部２３０が自局希望波ｆ０にチューニングし直し、ステップＳ１６１６へ進む。
【００６４】
また、自局のＡＦリストを取得することができない場合、または取得したＡＦリストに代替周波数が記述されていない場合には（Ｓ１６０２：ＮＯ）、制御部２３０は、そのままステップＳ１６１６へ進む。
【００６５】
このようにして、制御部２３０は、ＰＩコード取得率を向上できるように、ＰＩチェック中のＡＧＣ動作開始レベルを変化させる制御を行う。
【００６６】
以下、本実施の形態に係るＲＤＳ受信装置１００を用いることによって、ＰＩ取得率が向上することを示す実験データについて説明する。
【００６７】
図８は、ＡＧＣ動作開始レベルとＲＤＳビットエラーレートとの関係を示す図である。図中、横軸は隣接妨害波の電界強度を示し、縦軸はＲＤＳビットエラーレートを示す。受信中の希望波の電界強度は４０ｄＢｕＶである。曲線４１０は、ＡＧＣ動作開始レベルが通常受信時の設定であるＦＳ１の場合、曲線４２０は、ＡＧＣ動作開始レベルがＰＩチェック中のＦＳ２の設定の場合のＲＤＳビットエラーレートである。
【００６８】
図８からもわかるように隣接妨害波の電界強度レベルが大きい場合でもＡＧＣ動作開始レベルがＦＳ２の場合は、ＦＳ１の場合と比べ低いビットエラーレートとなっている。すなわちＰＩコード取得率が高いと言える。
【００６９】
なお、以上の説明において、ＦＳ２のレベルは、最もＰＩコード取得率が高くなるレベルに設定するが、ＦＳ２のレベルを過大なレベルに設定した場合、ＲＦアンプ部１４０やミキサ部１５０に入力される最大信号レベルが大きくなり、発生する歪が増え、ＰＩコード取得率の悪化の原因ともなるため、ＦＳ２のレベルはＲＦアンプ部１４０やミキサ部１５０で発生する歪も考慮し、ＲＤＳビットエラーレートを測定して、ＰＩコード取得率が最も高くなる最適なレベルに設定する必要がある。
【００７０】
以上説明したように、本実施の形態に係るＲＤＳ受信装置１００によれば、ミュート状態で、代替局のＲＤＳデータを取得するとき、ＡＧＣ動作開始レベルを通常受信時のレベルよりも高いレベルへ変化させるので、隣接妨害波の電界強度が大きい場合でも、ＰＩ取得率を向上させることができる。
【産業上の利用可能性】
【００７１】
本発明に係るＲＤＳ受信装置は、電界強度が大きい隣接妨害波が存在する場合でも、ＰＩコード取得率を向上させることができるＲＤＳ受信装置として有用である。
【符号の説明】
【００７２】
１００  ＲＤＳ受信装置
１１０  アンテナ部
１２０  可変アテネータ部
１３０  ＲＦフィルタ部
１４０  ＲＦアンプ部
１５０  ミキサ部
１６０  ＡＧＣ部
１７０  可変ＩＦフィルタ部
１８０  ＦＭ検波部
１９０  隣接ノイズ検出部
１９１  バンドパスフィルタ部
１９２  電界強度測定部
２００  ＲＤＳ復調部
２１０  ＲＯＭ
２２０  ＲＡＭ
２３０  制御部
２４０  ＭＰＸ復調部
２５０  ミュート部
２６０  スピーカ部
２７０  表示装置
２８０  操作部
【図２】
2011004108.tif 000003
【図５】
2011004108.tif 000004
【図６】
2011004108.tif 000005
【図７】
2011004108.tif 000006
【図１】
2011004108.tif 000007
【図３】
2011004108.tif 000008
【図４】
2011004108.tif 000009
【図８】
2011004108.tif 000010